(57)【要約】【課題】満員の電車やバスに乗車する際、不意な接触等によって痴漢と勘違いされない様にサポートする痴漢冤罪防止用の腕吊り具を提供する。【解決手段】伸縮性のあるゴムを首に掛けるベルトとして使用し、ゴムベルトの両端に其々Ｄカンを取り付け、右側のＤカンにストレッチ素材の生地、左側のＤカンにメッシュ素材の生地を取り付け、其々の底辺部分を縫い合わせた間を腕保持部とすることを特徴とする。【選択図】図１
2019044316.tif 000002
【特許請求の範囲】
【請求項１】
腕吊り具の構成は、ゴムベルトを首に掛け使用し、ゴムベルトの両端にＤカンを取り付け、ゴムベルト右側のＤカンには、台形状にカットしたストレッチ素材の生地で一番短い辺を縫い付け、ゴムベルト左側のＤカンには、台形状の周囲の形を維持するために布紐で周囲を囲み縫いし、中央よりやや左側に補強の為クロス状に布紐を配したメッシュ素材の生地で、一番短い辺を縫い付け、ゴムベルトの右側に取り付けたＤカンと一体になったストレッチ素材の生地と、ゴムベルトの左側に取り付けたＤカンと一体になったメッシュ素材の生地の其々の底辺部分を縫い合わせ、全体が一つの輪状に繋がった痴漢冤罪防止用の腕吊り具となり、ストレッチ素材の生地とメッシュ素材の生地の底辺部分を腕を差し入れて保持する腕保持部とする事を特徴とし、ゴムベルト部には脱着可能な首あてをセットした痴漢冤罪防止用の腕吊り具。
【請求項２】
首に掛けるゴムベルトの右側には長さの調節が出来るようフックを設けた請求項１の痴漢冤罪防止用の腕吊り具。
【請求項３】
台形状の周囲の形を維持するために布紐で周囲を囲み縫いしたメッシュ素材の生地のやや左側に、補強とデザイン性を兼ねたクロス形状の図柄を配し、ストレッチ素材の生地とメッシュ素材の生地の其々の底辺部分を縫い合わせた間を腕保持部とする事を特徴とする請求項１又は請求項２の痴漢冤罪防止用の腕吊り具。
【発明の詳細な説明】
【技術分野】
【０００１】  本発明は、満員の電車やバス等に乗車する際に、自分の首にベルト部を掛けて装着し、一方の手を腕保持部に差し入れて使用する痴漢冤罪防止用の腕吊り具であり、更には一方の手が不審な動きをしていないことを、周囲の乗客にアピールすることが出来て、無用なトラブルに巻き込まれないようにする為の痴漢冤罪防止用の腕吊り具である。
【背景技術】
【０００２】  従来、装着者の指の動きが、外方へ伝わりにくい剛性を有する素材により形成されたミトン本体部とミトン本体部に連設された手首覆い部とからなり、手首覆い部にはファスナーが設けられ、使用時に手首に固定できるように構成された痴漢冤罪防止用ミトンがあった。（特許文献１参照）
また、手袋の背面に合成樹脂や天然素材で作ったハードカバーを取り付け、手指の外側への動きを制限し、更に手の甲部分にマジックテープを貼付し、被害者の衣類の繊維や皮脂の一部が付着するように工夫された痴漢冤罪防止用の手袋があった。（特許文献２参照）
【先行技術文献】
【特許文献】
【０００３】
【特許文献１】実用新案登録第３１５４５３５号公報
【特許文献２】実用新案登録第３１５６４４６号公報
【発明の概要】
【発明が解決しようとする課題】
【０００４】  そのために、次のような問題点があった。
（イ）特許文献１は、手と手首を固定する為、装着者が不自由な動きを強要され、電車やバスに乗車中つり革等を掴みにくく、体勢の安全を保てず、転倒のリスクが大きい。又、手指に密着させる為、汗ばんだり、手指の拘束による不快感を抱くものである。
（ロ）特許文献２は、手指部分はハードカバーで覆われ、長袖のアームカバーも接続されている為、腕の機能が著しく阻害され、不快感を感じると共に安全を確保する事が大変困難でる。
（ハ）いずれも、満員の電車やバスに乗車する際、瞬時に装着・脱着することは、非常に困難である為、実用性に乏しいと言える。
（ニ）従来は、男性が満員の電車やバスに乗車中、痴漢冤罪を掛けられない様に防止策として、極力両手を上に上げる、または、一方の手でつり革やパイプを掴み、もう一方の手は自身の首元のネクタイを掴んだり、あるいはスマートフォンを操作する等して、片腕がだらりと下に下がったままの状態にならない様に、殊更に意識して自己防衛をしなくてはならなかったが、この痴漢冤罪防止用の腕吊り具を装着する事により、無理な体勢を長時間維持する必要もなく、心身両面のストレスが軽減される事となる。
本発明は、これらの問題を解決する為になされたものである。
【課題を解決するための手段】
【０００５】  伸縮性のあるゴムを首に掛けるゴムベルトとして使用し、ゴムベルトの右側には長さが調節出来るようフックを設ける。ゴムベルトの両端にＤカンを取り付け、右側のＤカンには台形状にカットしたストレッチ素材の生地で一番短い辺を縫い付ける。左側のＤカンには台形状の周囲の形を維持するために布紐で囲み縫いし、中央よりやや左側に補強の為クロス状に布紐を配したメッシュ素材の生地で一番短い辺を縫い付ける。ストレッチ素材の生地とメッシュ素材の生地の其々の底辺部分を縫い合わせる。その間を腕を入れる腕保持部とする。ゴムベルトに脱着可能な首あてを、装備する。
本発明は、以上の構成によりなる。
【発明の効果】
【０００６】本発明は、満員の電車やバスに乗車する際、首にベルト部を掛けて使用するもので、混雑した車内で右腕、左腕のどちらでも腕保持部に差し入れることが出来る。したがって、一方の手でしっかりつり革等を掴むことが出来、電車やバスの急停車、揺れに備え安全を確保することが出来る。腕保持部の前面はメッシュ素材の生地を使用している為、周囲の乗客からも腕の動きが一目瞭然で、痴漢冤罪防止及び痴漢詐欺事件も未然に防止する効果がある。この痴漢冤罪防止用の腕吊り具は、瞬時に装着、脱着が出来、日常の通勤時の服装にも不快な影響を与えることもなく、手の部分のみに着目するのではないため、蒸れ等の不快感も発生せず、また周囲から奇異に見られる事もない。従来は、男性が満員の電車やバス等に乗車中、痴漢冤罪を掛けられない様に防止策として極力両手を上に上げる、または、一方の手でつり革やパイプを掴み、もう一方の手は自身の首元のネクタイを掴んだり、あるいはスマートフォンを操作する等して、片腕がだらりと下に下がったままの状態にならない様に、殊更に意識して自己防衛をしなくてはならなかったが、この痴漢冤罪防止用の腕吊り具を装着する事により、無理な体勢を長時間維持する必要もなく、心身両面のストレスが軽減される事となる。
【図面の簡単な説明】
【０００７】
【図１】本発明の斜視図。
【図２】本発明の使用状態図。
【発明を実施するための形態】
【０００８】  以下、本発明を実施するための形態について説明する。
（イ）伸縮性のあるゴムを、首（１４）に掛けるゴムベルト（１）とする。
（ロ）ゴムベルト（１）の右側には、長さが調節できるようにフック（２）を設ける。
（ハ）ゴムベルト（１）の両端にＤカン（３）（４）を取り付ける。
（ニ）右側のＤカン（３）には、台形状にカットしたストレッチ素材の生地（５）で一番短い辺を縫い付ける。
（ホ）左側のＤカン（４）には、台形状の周囲の形を維持するために布紐（６）で、周囲を囲み縫いし中央よりやや左側に補強とデザイン性を兼ね備えたクロス形状の図柄（８）を配したメッシュ素材の生地（７）で、一番短い辺を縫い付ける。
（ヘ）ゴムベルト（１）の右側に取り付けたＤカン（３）と一体になったストレッチ素材の生地（５）とゴムベルト（１）の左側に取り付けたＤカン（４）と一体になったメッシュ素材の生地（７）の其々の底辺部分（１０）を縫い合わせる。
（ト）全体が一つの輪状に繋がった痴漢冤罪防止用の腕吊り具（１２）となり、ストレッチ素材の生地（５）とメッシュ素材の生地（７）の縫い合わされた底辺部分に腕（１１）を差し入れて保持する腕保持部（１３）とする。
（チ）満員の電車やバスに乗車の際、一方の腕（１１）を腕保持部（１３）に収め、もう一方の手（１６）でつり革（１５）やパイプ等を掴んで電車やバス等の急停車、揺れに万全を期す体勢が、周知の事実となり痴漢冤罪の防止及び痴漢詐欺事件も未然に防ぐことが出来る。
（リ）ゴムベルト（１）に脱着可能な首あて（９）もセットし、痴漢冤罪防止用の腕吊り具（１２）を装着した際、首（１４）への圧迫を軽減出来るよう配慮した。
本発明は、以上のような構造である。
本発明の使い方を説明する。
本発明は、満員の電車やバスに乗車する際、痴漢冤罪防止や痴漢詐欺事件を未然に防ぐ為の対策で、ゴムベルト（１）を首（１４）に掛け装着し、一方の腕（１１）を腕保持部（１３）に差し入れて、もう一方の手（１６）でつり革（１５）やパイプ等を掴んで、電車やバスの急停車や揺れに備え、安全を確保しながら使用するものである。
痴漢冤罪防止用の腕吊り具（１２）を装着する事により、痴漢冤罪、痴漢詐欺事件から自身の身を守るだけではなく、女性の乗客にも安心感を与えると共に、周囲の乗客に痴漢行為が完全に出来ない事を視覚的にアピールする事によって、必然的に女性が被害者となる痴漢事件をも、抑止する事を目的として使用する事が出来る。
また、痴漢冤罪防止用の腕吊り具（１２）の腕保持部（１３）に差し入れた側の手でスマートフォン等を操作する事により、万一スマートフォン等が手から滑り落ちた場合、腕保持部（１３）が受け皿になり、スマートフォン等の落下防止そしてその衝撃による故障等を防ぐ事を目的として、使用する事が出来る。
通勤、通学時の過酷とも言える満員の電車やバスに乗車する際、少しでも不快な状況を改善する為に、思いやりのあるマナーとして、多数の男性が痴漢冤罪防止用の腕吊り具（１２）を装着する事により、痴漢に関係する一連の事件を全て激減させる効果がある。
【符号の説明】
【０００９】  １  ゴムベルト
２  フック
３  右側のＤカン
４  左側のＤカン
５  ストレッチ素材の生地
６  布紐
７  メッシュ素材の生地
８  図柄
９  首あて
１０  底辺部分
１１  腕
１２  痴漢冤罪防止用の腕吊り具
１３  腕保持部
１４  首
１５  つり革
１６  手
【図１】
2019044316.tif 000003
【図２】
2019044316.tif 000004